(57)【要約】【課題】包装体を透明なシート材で形成して内部のレンズ付きフィルムユニットを視認できるように構成し、包装体を吊り下げても重力によって吊り下げ用の孔が変形することのないレンズ付きフィルムユニット用包装体。【解決手段】未露光のフィルムを予め装填したレンズ付きフィルムユニットを気密状態に包装したレンズ付きフィルムユニット用包装体において、透明なシート材を用いて前記レンズ付きフィルムユニットを短手方向から熱接合して筒状に包囲した包囲体の長手方向の一方の端部に、所定のシート片の少なくとも一部を挿入して、前記端部を平坦に熱接合し、前記端部に吊り下げ用の孔を前記シート片と共に穿孔したこと。【選択図】        図４
2004226463.tif 000002
【特許請求の範囲】
【請求項１】
未露光のフィルムを予め装填したレンズ付きフィルムユニットを気密状態に包装したレンズ付きフィルムユニット用包装体において、
透明なシート材を用いて前記レンズ付きフィルムユニットを短手方向から熱接合して筒状に包囲した包囲体の長手方向の一方の端部に、所定のシート片の少なくとも一部を挿入して、前記端部を平坦に熱接合し、前記端部に吊り下げ用の孔を前記シート片と共に穿孔したことを特徴とするレンズ付きフィルムユニット用包装体。
【請求項２】
前記シート片に予め所定の印刷が施されていることを特徴とする請求項１に記載のレンズ付きフィルムユニット用包装体。
【請求項３】
未露光のフィルムを予め装填したレンズ付きフィルムユニットを気密状態に包装するレンズ付きフィルムユニットの包装方法において、
透明なシート材を用いて前記レンズ付きフィルムユニットを短手方向から熱接合して筒状に包囲する工程と、
前記レンズ付きフィルムユニットを筒状に包囲した包囲体の長手方向の一方の端部に所定のシート片の少なくとも一部を挿入する工程と、
前記包囲体の端部を平坦に熱接合する工程と、
前記端部に吊り下げ用の孔を前記シート片と共に穿孔する工程と、
を備えたことを特徴とするレンズ付きフィルムユニットの包装方法。
【請求項４】
前記包囲体の長手方向の他方の端部を平坦に熱接合する工程を備えたことを特徴とする請求項３に記載のレンズ付きフィルムユニットの包装方法。
【請求項５】
前記シート片に予め所定の印刷を施しておくことを特徴とする請求項３又は請求項４に記載のレンズ付きフィルムユニットの包装方法。
【発明の詳細な説明】
【０００１】
【発明の属する技術分野】
本発明は、未露光のフィルムを予め装填したレンズ付きフィルムユニットを、透明なシート材を用いて気密状態に包装したレンズ付きフィルムユニット用包装体及びその包装方法に関する。
【０００２】
【従来の技術】
近年、未露光のフィルムが予め装填されていて直ちに撮影可能なレンズ付きフィルムユニットが普及している。レンズ付きフィルムユニットはシート材により筒状に包装された後、湿気等によるフィルムの変質を防止するために気密状態にすべくシート材の端部が熱溶着されて出荷され、店頭に陳列される。また、この包装に用いるシート材としては、フィルムに悪影響を与える化学物質が浸透されない材料が選択され、例えばアルミ箔の一方の面にＰＥＴ（ポリエチレンテレフタレート）を、他方の面にＥＶＡ（エチレン酢酸ビニール）を接着剤を用いてサンドイッチ状にドライラミネートしたものが使用され、外表面に位置するＰＥＴに商品名やセールスポイント等が印刷されている。
【０００３】
従って、シート材はアルミ箔のために不透明であるので、ユーザーは包装状態になっている店頭では内部のレンズ付きフィルムユニットを視認することができず、購入して包装を破くまで、どのような形状やデザインのレンズ付きフィルムユニットが包装されているか分からなかった。また、レンズ付きフィルムユニットにいくら創作を凝らした素晴らしいデザインを施しても、店頭でユーザーに直接訴えることはできなかった。
【０００４】
そこで、透明のシート材を用いて包装し、内部のレンズ付きフィルムユニットを視認することができようにしたレンズ付きフィルムユニットの包装体が提案されている。（特許文献１）
このシート材は、ＰＥＴ（ポリエチレンテレフタレート）、ガラス蒸着ＰＥＴ（ガラス蒸着ポリエチレンテレフタレート）及びＰＰ（ポリプリピレン）が積層されたシート材や、ＰＰ、ＰＶＡ（ポリビニルアルコール）、ＰＰが積層されたシート材が用いられている。このうち、中間に挟まれるガラス蒸着ＰＥＴやＰＶＡはアルミ箔と同様にフィルムに対して悪影響のないガスバリア性を有している。
【０００５】
また、包装体の前面の一部を透明に形成し、デザイン表示をした紙製のカードを内部に配置して視認できるようにしたレンズ付きフィルムユニットの包装体が提案されている。（特許文献２）
この包装体に用いるシート材は、ＰＥＴ、ＳｉＯ（酸化ケイ素）蒸着層、印刷インク層、接着剤及びシーラント層が積層されている。そして、印刷インク層は不透明であるが、他の層は透明性を有するフィルムであるので、包装体の前面の一部は印刷が施されずに透明に形成されている。
【０００６】
【特許文献１】
特許第２８７３３８６号公報（第２−３頁）
【０００７】
【特許文献２】
特開平１０−３０７３７０号公報（第４−５頁）
【０００８】
【発明が解決しようとする課題】
レンズ付きフィルムユニットを包装した包装体は端部に吊り下げ用の孔を有しており、この包装体は店頭で吊り下げ用の孔で吊り下げられて陳列される。従って、前述の如き透明なシート材を用いてレンズ付きフィルムユニットを包装し、内部のレンズ付きフィルムユニットを視認できるように構成した場合には、吊り下げ用の孔の部分も透明に形成される。しかし、包装体をアルミ箔のない透明なシート材で形成すると、吊り下げ用の孔の周辺の強度が弱くなり、包装体を吊り下げたとき重力によって吊り下げ用の孔が変形し、見苦しい状態になる。
【０００９】
本発明はかかる問題に鑑みてなされたものであり、包装体を透明なシート材で形成して内部のレンズ付きフィルムユニットを視認できるように構成し、包装体を吊り下げても重力によって吊り下げ用の孔が変形することのないレンズ付きフィルムユニット用包装体及びレンズ付きフィルムユニットの包装方法を提案することを目的とする。
【００１０】
また、このように透明に形成しても、内部にあるレンズ付きフィルムユニットの視認の妨げにならずに商品名等を表示することができるようにすることも目的とする。
【００１１】
【課題を解決するための手段】
上記目的は下記の何れかの手段により達成される。
【００１２】
▲１▼未露光のフィルムを予め装填したレンズ付きフィルムユニットを気密状態に包装したレンズ付きフィルムユニット用包装体において、透明なシート材を用いて前記レンズ付きフィルムユニットを短手方向から熱接合して筒状に包囲した包囲体の長手方向の一方の端部に、所定のシート片の少なくとも一部を挿入して、前記端部を平坦に熱接合し、前記端部に吊り下げ用の孔を前記シート片と共に穿孔したことを特徴とするレンズ付きフィルムユニット用包装体。
【００１３】
▲２▼未露光のフィルムを予め装填したレンズ付きフィルムユニットを気密状態に包装するレンズ付きフィルムユニットの包装方法において、透明なシート材を用いて前記レンズ付きフィルムユニットを短手方向から熱接合して筒状に包囲する工程と、前記レンズ付きフィルムユニットを筒状に包囲した包囲体の長手方向の一方の端部に所定のシート片の少なくとも一部を挿入する工程と、前記包囲体の端部を平坦に熱接合する工程と、前記端部に吊り下げ用の孔を前記シート片と共に穿孔する工程と、を備えたことを特徴とするレンズ付きフィルムユニットの包装方法。
【００１４】
【発明の実施の形態】
以下に、本発明のレンズ付きフィルムユニット用包装体に関する実施の形態を図を参照して詳細に説明する。
【００１５】
先ず、レンズ付きフィルムユニットの一例を図１に基づいて説明する。図１はレンズ付きフィルムユニットの前方斜視図である。
【００１６】
図１において、レンズ付きフィルムユニット１の内部機構や予め装填したフィルムは前面側から前カバー１１により被覆され、背面側から後カバー１２により被覆されている。前カバー１１の前面中央には撮影レンズ２１が配置され、その上方にはファインダの対物レンズ２２が配置されている。対物レンズ２２の右にはストロボ光を発光する発光パネル２３が配置され、その下方にはストロボのメインスイッチを作動させるストロボスイッチレバー２４が配置されている。
【００１７】
前カバー１１の上面にはレリーズ釦２５と指数器窓２６が配置され、後カバー１２の上面にはストロボが充電したことを示すネオン管用窓２７が配置されている。また、後カバー１２の背面には巻上げノブ２８が突出している。
【００１８】
なお、３１，３２，３３は各々ラベルであり、前カバー１１と後カバー１２の見苦しい部所を被覆すると共に、商品名や簡単な使用説明等が印刷されている。
【００１９】
次に、このレンズ付きフィルムユニット１を包装する方法を図２乃至図４に基づいて説明する。
【００２０】
先ず、図２の如く、レンズ付きフィルムユニット１の長手方向がシート材２の長手方向と合致するようにして、レンズ付きフィルムユニット１を長尺のシート材２の上に載置する。そして、ジート材２の短手方向からレンズ付きフィルムユニット１を筒状に包囲し、シート材２の双方の側端部２ａの内面を互いに対向させ、連続的に押圧・加熱して縞目状に熱接合（ヒートシール）する。
【００２１】
なお、ここで用いるシート材２は透明に形成されていて、且つフィルムに悪影響を与えないガスバリア性を有している。例えば、ＰＥＴ（ポリエチレンテレフタレート）、ガラス蒸着ＰＥＴ（ガラス蒸着ポリエチレンテレフタレート）及びＰＰ（ポリプリピレン）が積層されたシート材、ＰＰ、ＰＶＡ（ポリビニルアルコール）、ＰＰが積層されたシート材、またはＰＥＴ、ＳｉＯ（酸化ケイ素）蒸着層、接着剤及びシーラント層が積層されたシート材（例えば、凸版印刷が製造するＧＬＥシートフィルム（Ｒ））を用いる。
【００２２】
続いて図３の如く、レンズ付きフィルムユニット１が包囲されたシート材２（包囲体）の長手方向の一方の端部２ｂに、所定のデザインの基に商品名等が印刷されたシート片３を挿入し、シート片３と共にシート材２の端部２ｂを平坦且つ縞状に熱接合する。また、他方の端部２ｃに関しては、シート片を挿入することなく、そのまま平坦且つ縞状に熱接合する。このようにして内部のレンズ付きフィルムユニット１を気密状態にした上で、１パックずつ切断する。
【００２３】
なお、シート片３は紙若しくは樹脂シートからなる。
また、熱接合に関して、一例として編み目のピッチは約１ｍｍであり、百数十度の温度で行う。
【００２４】
続いて図４の如く、シート材２の一方の端部２ｂに吊り下げ用孔２ｄをシート片３と共に穿設して、レンズ付きフィルムユニット用包装体が完成する。
【００２５】
この結果、吊り下げ用孔２ｄでレンズ付きフィルムユニット用包装体を吊り下げたとき、不透明なシート材より強度的に劣る透明なシート材２を用いても、一方の端部２ｂはシート片３によって強化されているので、吊り下げ用孔２ｄが重力によって変形して見苦しくなるといったことが生じない。
【００２６】
また、創作を凝らしたデザインのレンズ付きフィルムユニット１を包装体に密閉した状態で外部から視認できるので、透明なシート材２に対しては格別な印刷は不要であり、従来の如き内部のレンズ付きフィルムユニット１を模した図柄や着色の印刷が不要になって、印刷と実機との相違を回避することができる。従って、シート片３に商品名や簡単なセールスポイント等を記載しておくだけで内部のレンズ付きフィルムユニット１を充分にユーザーに訴求できる。また、包装体への印刷が不要になることで、印刷代はもとより、包装時に図柄を位置合わせする煩雑な作業が不要になるので、大幅なコストダウンになる。
【００２７】
更に、シート片３のみを変更することによって、同じ包装体で仕様、外観色、若しくはある程度の形状の異なる様々なバリエーションのレンズ付きフィルムユニット１に対応でき、レンズ付きフィルムユニット１を包装する工程における生産効率が向上する。特に、小ロットの生産にも簡単に対応でき、材料費を低減することができる。
【００２８】
なお、以上の如く説明した実施の形態においては、シート材２の一方の端部２ｂにシート片３を挿入して全て埋没させたが、必ずしもこのようにする必要はなく、図５に示す如く、やや大きめのシート片４の一部をシート材２の一方の端部２ｂに挿入し、シート片４の残りを露出させるようにしてもよい。無論、吊り下げ用孔２ｄはシート片４にも穿孔される。このように構成することにより、商品名等を印刷するスペースが増大する。
【００２９】
また、透明なシート材２の一部に対して、必要に応じて印刷を施して不透明にし、より装飾性を増すようにしてもよい。
【００３０】
【発明の効果】
本発明のレンズ付きフィルムユニット用包装体及びレンズ付きフィルムユニットの包装方法によれば、吊り下げ用孔でレンズ付きフィルムユニット用包装体を吊り下げたとき、不透明なシート材より強度的に劣る透明なシート材を用いても、シート材の一方の端部はシート片によって強化されているので、吊り下げ用孔が重力によって変形して見苦しくなるといったことが生じない。
【００３１】
また、創作を凝らしたデザインのレンズ付きフィルムユニットを包装体に密閉した状態で外部から視認できるので、透明なシート材に対しては格別な印刷は不要であり、従来の如き内部のレンズ付きフィルムユニットを模した図柄や着色の印刷が不要になって、印刷と実機との相違を回避することができる。従って、シート片に商品名や簡単なセールスポイント等を記載しておくだけで内部のレンズ付きフィルムユニット１を充分にユーザーに訴求できる。また、包装体への印刷が不要になることで、印刷代はもとより、包装時に図柄を位置合わせする煩雑な作業が不要になるので、大幅なコストダウンになる。
【００３２】
更に、シート片のみを変更することによって、同じ包装体で仕様、外観色、若しくはある程度の形状の異なる様々なバリエーションのレンズ付きフィルムユニットに対応でき、レンズ付きフィルムユニットを包装する工程における生産効率が向上する。特に、小ロットの生産にも簡単に対応でき、材料費を低減することができる。
【図面の簡単な説明】
【図１】レンズ付きフィルムユニットの前方斜視図である。
【図２】レンズ付きフィルムユニットをシート材の短手方向から包囲して熱接合した包囲体の図である。
【図３】包囲体の一方の端部にシート片を挿入する図である。
【図４】包囲体の一方の端部に吊り下げ用孔を穿設して完成させた包装体の図である。
【図５】包囲体の一方の端部に異なるシート片を挿入して、吊り下げ用孔を穿設して完成させた包装体の図である。
【符号の説明】
１  レンズ付きフィルムユニット
２  シート材
２ａ  側端部
２ｂ，２ｃ  端部
３，４  シート片
【図１】
2004226463.tif 000003
【図２】
2004226463.tif 000004
【図３】
2004226463.tif 000005
【図４】
2004226463.tif 000006
【図５】
2004226463.tif 000007